(57)【要約】【課題】装着時の位置ずれが抑制され、採取具を穿刺した箇所へ精度よく案内する。【解決手段】本血液採取補助具は、第１の指の腹と接触させる第１接触面を有する第１基部と、前記第１の指の隣にある第２の指と接触させる第２接触面を有する第２基部と、前記第１基部と前記第２基部とを連結するとともに、前記第１の指と前記第２の指との間の指間部において、前記第１の指の側面と接触する第１指間接触面と前記第２の指の側面と接触する第２指間接触面を有する連結部と、前記第１基部に形成され、前記第１基部の前記第１接触面の一部から反対の面に向けて貫通する貫通孔と、を含む。【選択図】図１
2019208748.tif 000002
【特許請求の範囲】
【請求項１】
第１の指の腹と接触させる第１接触面を有する第１基部と、
前記第１の指の隣にある第２の指と接触させる第２接触面を有する第２基部と、
前記第１基部と前記第２基部とを連結するとともに、前記第１の指と前記第２の指との間の指間部において、前記第１の指の側面と接触する第１指間接触面と前記第２の指の側面と接触する第２指間接触面を有する連結部と、
前記第１基部に形成され、前記第１基部の前記第１接触面の一部から反対の面に向けて貫通する貫通孔と、を含む、
血液採取補助具。
【請求項２】
前記第１接触面は、前記第１の指の太さに応じて決定される曲率半径を有する曲面であり、
前記第２接触面は、前記第２の指の太さに応じて決定される曲率半径を有する曲面である、
請求項１に記載の血液採取補助具。
【請求項３】
前記第１接触面は、前記第１の指の側面のうち前記第２の指に対向する側面とは反対側の側面に沿って下方に延びる第１外壁部を含み、
前記第２接触面は、前記第２の指の側面のうち前記第１の指に対向する側面とは反対側の側面に沿って下方に延びる第２外壁部を含む、
請求項１または２に記載の血液採取補助具。
【請求項４】
前記第１接触面は、前記第１の指の周囲を囲むように環形状に形成され、
前記第２接触面は、前記第２の指の周囲を囲むように環形状に形成される、
請求項１または２に記載の血液採取補助具。
【請求項５】
前記貫通孔は、前記第１基部の第１接触面とは反対側の上端面において、前記貫通孔の周囲の少なくとも一部を囲み、前記上端面から第１接触面とは反対側の方向に向けて突出する筒部をさらに含む、
請求項１から４のいずれか一項に記載の血液採取補助具。
【請求項６】
前記貫通孔および前記筒部の内壁は、前記筒部の前記第１接触面とは反対側の端部から前記貫通孔の前記第１接触面側に向けて徐々に内径が縮小するように形成される、
請求項５に記載の血液採取補助具。
【請求項７】
前記筒部の内壁から前記筒部の半径方向に突出する突起を備える、
請求項５に記載の血液採取補助具。
【請求項８】
前記第１基部と前記第２基部のうち、前記第１の指と前記第２の指のうちの長い方の指に接触する方は、他方よりも指先側にずれて配置される、
請求項１から７のいずれか一項に記載の血液採取補助具。
【請求項９】
前記貫通孔は、採取具が通過可能な大きさである、
請求項１から８のいずれか一項に記載の血液採取補助具。
【請求項１０】
前記第２接触面は前記第２の指の腹と接触する、
請求項１から９のいずれか一項に記載の血液採取補助具。
【請求項１１】
前記連結部のうち、前記第１指間接触面および前記第２指間接触面は弾性部材によって
形成される、
請求項１から１０のいずれか一項に記載の血液採取補助具。
【発明の詳細な説明】
【技術分野】
【０００１】
本発明は、血液採取補助具に関する。
【背景技術】
【０００２】
糖尿病等の患者は、血糖値の日常的な管理の一環として、血液中のグルコース濃度の測定を行う。グルコース濃度の測定において、患者は、例えば、穿刺針で指先を穿刺して血液を体外に漏出させ、漏出させた血液にバイオセンサなどの採取具を接触させて測定対象の血液を採取する。
【０００３】
糖尿病等の患者の中には手が不自由であったり視力が低下したり失明したりしている者もいる。そのような患者にとって、指先に穿刺したり、穿刺によって漏出した血液に採取具を接触させたりすることは負担である。このような負担を軽減するため、穿刺針や採取具の位置合わせを行う補助具が提案されている。例えば、指輪状に形成されており、穿刺具の穿刺針による皮膚への穿刺位置の位置合わせを行う穿刺ガイド部や、穿刺した箇所への採取具の位置合わせを行う採血ガイド部を備える補助具がある（例えば、特許文献１）。
【先行技術文献】
【特許文献】
【０００４】
【特許文献１】特許第４６２５０６２号公報
【発明の概要】
【発明が解決しようとする課題】
【０００５】
指輪状に形成された補助具には、指の周囲に沿って回転しやすいという問題が存在する。例えば、穿刺針によって穿刺を行った後に補助具が指の周囲に沿って回転すると、採血ガイド部が穿刺した箇所からずれてしまう。そのため、採血ガイド部は、穿刺した箇所への採取具の位置合わせ、すなわち、採取具を穿刺した箇所に案内することができなくなる。
【０００６】
開示の技術の１つの側面は、装着時の位置ずれが抑制され、採取具を穿刺した箇所へ精度よく案内できる血液採取補助具を提供することを目的とする。
【課題を解決するための手段】
【０００７】
開示の技術の１つの側面は、次のような血液採取補助具によって例示される。本血液採取補助具は、第１の指の腹と接触させる第１接触面を有する第１基部と、前記第１の指の隣にある第２の指と接触させる第２接触面を有する第２基部と、前記第１基部と前記第２基部とを連結するとともに、前記第１の指と前記第２の指との間の指間部において、前記第１の指の側面と接触する第１指間接触面と前記第２の指の側面と接触する第２指間接触面を有する連結部と、前記第１基部に形成され、前記第１基部の前記第１接触面の一部から反対の面に向けて貫通する貫通孔と、を含む。
【発明の効果】
【０００８】
本血液採取補助具は、装着時の位置ずれが抑制され、採取具を穿刺した箇所へ精度よく案内できる。
【図面の簡単な説明】
【０００９】
【図１】図１は、第１実施形態に係る血液採取補助具の一例を示す図である。
【図２】図２は、図１（Ｂ）において一点鎖線で示されるＡ−Ａ線断面図の一例である。
【図３】図３は、血液採取補助具の使用態様の一例を示す図である。
【図４】図４は、穿刺具の一例を示す図である。
【図５】図５は、バイオセンサの一例を示す斜視図である。
【図６】図６は、測定装置の一例を示す斜視図である。
【図７】図７は血液採取補助具によって穿刺具による穿刺を補助する使用態様の一例を示す図である。
【図８】図８は、血液採取補助具によってバイオセンサへの血液の導入を補助する使用態様の一例である。
【図９】図９は、血液採取補助具を用いた血糖値の測定方法の一例を示す図である。
【図１０】図１０は、第１変形例に係る血液採取補助具の一例を示す正面図である。
【図１１】図１１は、第２変形例に係る血液採取補助具の一例を示す正面図である。
【図１２】図１２は、第３変形例に係る血液採取補助具の一例を示す上面図の一例である。
【図１３】図１３は、第４変形例に係る血液採取補助具の一例を示す図である。
【図１４】図１４は、第５変形例に係る血液採取補助具の一例を示す断面図である。
【発明を実施するための形態】
【００１０】
以下、図面を参照して、一実施形態に係る血液採取補助具について説明する。以下に示す実施形態の構成は例示であり、開示の技術は実施形態の構成に限定されない。
【００１１】
＜実施形態＞
図１は、実施形態に係る血液採取補助具の一例を示す図である。図１（Ａ）は血液採取補助具の正面図の一例であり、図１（Ｂ）は血液採取補助具の上面図の一例である。図２は、図１（Ｂ）において一点鎖線で示されるＡ−Ａ線における血液採取補助具の断面図の一例である。図３は、血液採取補助具の使用態様の一例を示す図であり、血液採取補助具を掌の隣り合う２本の指に被せた状態の上面図の一例である。
【００１２】
血液採取補助具１０は、掌の隣り合う２本の指（第１の指と第２の指）に被せて使うものであり、好ましくは上側に向けた掌の隣り合う２本の指に被せて使うものである（図３参照）。血液採取補助具１０（基部１１）は、幅方向（Ｘ方向）、奥行き方向（Ｙ方向）および高さ方向（Ｚ方向）を有する。上記したＺ方向において、筒部１５から第１基部１１１へ向かう方向を下方向、第１基部１１１から筒部１５へ向かう方向を上方向とする。また、上記したＸ方向において、第１基部１１１または第２基部１１２から連結部１４へ向かう方向を内方向、連結部１４から第１基部１１１または第２基部１１２へ向かう方向を外方向とする。血液採取補助具１０は、通常、筒部１５を上方に向けるとともに、第１接触面１２および第２接触面１３を下方に向けた状態で使用する。
【００１３】
血液採取補助具１０は、正面から見た形状が略円弧（アーチ）形状である第１基部１１１および第２基部１１２を連結させた基部１１を有する。換言すれば、基部１１は、二つの半円状のアーチ型部材である第１基部１１１および第２基部１１２を、その各々の弧が上側に向いた状態で直線状に並べ、これらの隣り合う端部を連結部１４により連結した形状を有する。第１基部１１１および第２基部１１２の各々の下側の面は、隣接可能な二本の指（例えば、人差し指と中指、中指と薬指）と各々接触させる、第１接触面１２、第２接触面１３として使用される。第１接触面１２は、穿刺対象となる指の腹に接触する。第１接触面１２および第２接触面１３は、血液採取補助具の安定に好適な面積で指の腹と接触する。第１接触面１２および第２接触面は、指の腹に沿った曲面（弧）に形成されることが好ましい。第１基部１１１および第２基部１１２の弧の曲率半径は、使用者の指の太さを考慮して決められる。すなわち、第１基部１１１の第１接触面１２および第２基部１
１２の第２接触面１３は、各々使用者の指の太さを考慮して決定された曲面として形成される。使用者の指の太さを考慮して決定された曲面とは、換言すれば、使用者の指の腹に沿った曲面ということができる。連結部１４は、隣り合う第１の指と第２の指との間である指間部に介在する。換言すれば、連結部１４は、第１の指と第２の指の内側に介在する。このような位置に介在する連結部１４は、隣り合う第１の指と第２の指とにより、Ｘ方向において両側から挟まれるようになっている。換言すれば、連結部１４は、血液採取補助具１０の使用時において、第１の指と第２の指によって挟持されるということができる。
【００１４】
第１接触面１２、第２接触面１３および連結部１４は摩擦力が高く、柔軟な素材で形成されることが好ましく、このような素材として、例えば、弾性を有する樹脂（例えばゴム）等の弾性部材を挙げることができる。このような構成を採用することで、血液採取補助具１０と第１の指及び第２の指との摩擦力が向上する。特に、連結部１４の第１の指と第２の指との間の指間部において、前記第１の指の側面と接触する第１指間接触面１２２と前記第２の指の側面と接触する第２指間接触面１３２を摩擦力が高く柔軟な素材で形成することで、血液採取補助具１０を装着した際の第１の指及び第２の指との位置ずれが抑制され、更に、血液採取補助具１０を第１の指と第２の指との挟み込む力によって固定しやすくなる。
【００１５】
貫通孔１１３は、第１基部１１１を上下方向に貫通する穴である。換言すれば、貫通孔１１３は、第１基部１１１の第１接触面１２の一部から第１接触面１２の反対側の面に向けて貫通する穴である。貫通孔１１３は、第１接触面１２と第１の指との接触時において第１の指の穿刺位置を視認可能な位置に形成される。ここで、穿刺位置を視認可能とは、第１接触面１２と第１の指との接触時において穿刺位置が常に視認できることを意味するわけではなく、貫通孔１１３が塞がれていない状態において視認可能であれば足りる。さらに言えば、穿刺位置を視認可能とは、第１の指において貫通孔１１３によって区画される領域内に穿刺位置が含まれることといってもよい。貫通孔１１３の内径は穿刺針を有する穿刺具や採取具が通過可能な大きさに適宜決定される。穿刺具や採取具が通過可能な貫通孔１１３の内径は、例えば、５〜５０ｍｍ、好ましくは１０〜３０ｍｍ、より好ましくは１５〜２０ｍｍである。
【００１６】
連結部１４は、上記の通り、第１の指と第２の指とによって挟持される。そのため、血液採取補助具１０は、第１の指と第２の指とにより保持されるため、Ｘ方向およびＹ方向における血液採取補助具１０の位置ずれが抑制される。
【００１７】
上記の通り、第１基部１１１が第１接触面１２において第１の指と接触し、第２基部１１２が第２接触面１３において第２の指と接触する。換言すれば、血液採取補助具１０は、第１基部１１１において第１の指によって支持され、第２基部１１２において第２の指によって支持される。すなわち、血液採取補助具１０は、２軸によって支持されるということができる。血液採取補助具１０は、２本の指によって支持されることで指の長手方向を軸として回転することが抑制される。
【００１８】
このように、血液採取補助具１０は、Ｘ方向およびＹ方向における血液採取補助具１０の位置ずれが抑制されるとともに、指の長手方向を軸として回転することが抑制される。そのため、穿刺を行った後にも血液採取補助具１０の貫通孔１１３が位置ずれを起こすことが抑制される。貫通孔１１３の位置がずれないため、穿刺によって体外に漏出した血液は穿刺後も貫通孔１１３を介して視認可能な位置に存在する。そのため、採取具は貫通孔１１３を介して容易に血液を採取することができる。
【００１９】
血液採取補助具１０は、さらに次の要素を具備してもよい。例えば、第１基部１１１の
上面において、貫通孔１１３の周囲を囲むように筒部１５が設けられてもよい。筒部１５は上端および下端が開放した筒状の壁部であり、貫通孔１１３の周囲から上方向に向けて突出する壁部ということもできる。
【００２０】
血液採取補助具１０が筒部１５を有する場合、視力が低下したり失明したりした使用者でも、筒部１５を手掛かりとして容易に貫通孔１１３の位置を把握することが可能となる。また、筒部１５を有することで筒部１５を有さない場合よりも高角度で穿刺具や採取具が貫通孔１１３に向けて進入することになる。高角度で穿刺具や採取具が貫通孔１１３に向けられることにより、穿刺具の穿刺針で穿刺箇所を穿刺したり、漏出した血液を採取具で採取したりすることが容易になる。
【００２１】
筒部１５の内径は、穿刺具の外径と略同一に形成されてもよく、このような場合、筒部１５に挿入された穿刺具を第１の指に対して正対させることができるため、穿刺箇所への穿刺が容易になる。また、貫通孔１１３が第１の指を覆う領域の略中心を穿刺することができるため、血液採取補助具１０に血液が付着することが軽減され、また、漏出した血液を採取具で採取したりすることが容易になる。
【００２２】
筒部１５には、さらに、穿刺具が筒部１５内に進入する深さを規制する規制手段を備えてもよい。規制手段は、例えば、筒部１５の内壁から突出する突起や、筒部１５の内壁の上端から下端に向かって徐々に縮小させるテーパー加工を挙げることができる。これらの突起やテーパー加工についての詳細は、変形例として後述する。
【００２３】
アーチ型部材である第１基部１１１の外縁部は、第１の指の側面のうち、第２の指と対向する側面の反対側の面に沿って下方に伸びる第１外壁部１１１１を形成してもよい。同様に、第２基部１１２の外縁部は、第２の指の側面のうち、第１の指と対向する側面の反対側の面に沿って下方に伸びる第２外壁部１１２１を形成してもよい。このような第１外壁部１１１１および第２外壁部１１２１を有することで、血液採取補助具１０はＸ方向におけるずれが生じにくくなる。
【００２４】
第１外壁部１１１１の下端部と第２外壁部１１２１の下端部とは、高さ（Ｚ方向における位置）が略同一に形成されてもよい。第１外壁部１１１１の下端部と第２外壁部１１２１の下端部の高さが略同一に形成されることで、血液採取補助具１０の連結部１４を中心とした幅方向における重量バランスが向上する。そのため、指に載置された状態における血液採取補助具１０の安定性が向上する。すなわち、指に載置された血液採取補助具１０の位置ずれがより抑制されるということができる。
【００２５】
第１外壁部１１１１の内側面１２１が第１の指の側面のうち、第２の指と対向する側面の反対側の面に接触するように、第１外壁部１１１１が形成されてもよい。また、第２外壁部１１２１の内側面１３１が第２の指の側面のうち、第１の指と対向する側面の反対側の面に接触するように、第２外壁部１１２１が形成されてもよい。換言すれば、内側面１２１は第１の指の側面のうち連結部１４の第１指間接触面１２２と対向する側面とは反対側の側面と接触し、内側面１３１は第２の指の側面のうち連結部１４の第２指間接触面１３２と対向する側面とは反対側の側面と接触するということができる。そのため、血液採取補助具１０がより位置ずれしにくくなる。
【００２６】
血液採取補助具１０は、上記した構成に限定されず各種の変形が可能である。これらの血液採取補助具１０の変形については、変形例として後述する。
【００２７】
＜実施例＞
上記した血液採取補助具１０の実施例についてさらに説明する。以下の実施例では、穿
刺具の穿刺針によって指先を穿刺することで血液を漏出させ、漏出した血液を採取具の一例であるバイオセンサによって採取し、測定装置によって採取した血液中のグルコース濃度が測定される。
【００２８】
血液採取補助具１０は、図１から図３を参照して上記で説明した通りの構成を有する。本実施例では、血液採取補助具１０は、左手の掌を上方に向けた状態で、中指と薬指の第１関節よりも指先側に被せて使用される。すなわち、血液採取補助具１０は、中指と薬指における指の腹に被せて使用される。このように血液採取補助具１０を使用すると、貫通孔１１３を介して中指の第１関節よりも指先側の指の腹が視認可能となるとともに、連結部１４は中指と薬指との間に介在する。
【００２９】
＜穿刺具＞
図４は、穿刺具の一例を示す図である。図４（Ａ）は穿刺具２０の側面図であり、図４（Ｂ）は穿刺具２０の上面図である。図４（Ｃ）および図４（Ｄ）は、図４（Ｂ）において一点鎖線で示されるＢ−Ｂ線における穿刺具２０の断面図である。図４（Ｃ）は穿刺針２５が射出される前の穿刺具２０の断面図であり、図４（Ｄ）は穿刺針２５が射出された状態における穿刺具２０の断面図である。
【００３０】
穿刺具２０は、幅方向（Ｘ方向）、奥行き方向（Ｙ方向）および高さ方向（Ｚ方向）を有する。穿刺具２０は、全体としてＺ方向を長手方向とする略円筒形状に形成される本体部２１を有する。本体部２１の下端面２１３には、本体部２１の下方に向けて突出し、本体部２１よりも外径が小さく形成されるとともに、下方に開口２２１を有する射出筒２２が設けられる。略円筒形状に形成された本体部２１の側面には、穿刺ボタン２３が設けられる。本体部２１の上端部は平坦な天井部２１１によって閉塞される。
【００３１】
本体部２１の内部には、図４（Ｃ）に例示されるように、一端が天井部２１１の内壁面である上端面２１２に接続され、他端が穿刺針２５の土台２５２に接続されるコイルバネ２４が本体部２１の長手方向に沿って収納される。穿刺針の射出前においては、土台２５２の下端は規制部材２３１によって下方から規制されるため、コイルバネ２４は圧縮された状態で維持される。規制部材２３１は、穿刺ボタン２３と接続される。穿刺ボタン２３が押下されると、規制部材２３１は土台２５２から外れる。穿刺針２５は、上記したように土台２５２がコイルバネ２４に接続された状態で、その先端２５１を射出筒２２の開口２２１に向けた状態で本体部２１内に収納される。
【００３２】
穿刺ボタン２３が押下されて規制部材２３１が土台２５２から外れると、図４（Ｄ）に例示するように、コイルバネ２４の弾性力によって穿刺針２５が射出され、その先端２５１が射出筒２２の開口２２１から突出する。突出した先端２５１によって皮膚を穿刺することで、穿刺具２０は皮膚から血液を漏出させることができる。
【００３３】
＜バイオセンサ＞
図５は、バイオセンサの一例を示す斜視図である。バイオセンサ４０は、幅方向（Ｘ方向）、高さ方向（Ｚ方向）および奥行き方向（Ｙ方向）を有する。バイオセンサ４０は、基板４１、スペーサ４２、およびカバー４３を高さ方向（Ｚ方向）においてこの順に積層し、接着して形成される。基板４１の上面には、測定対象物質の測定に用いられ、作用極４４ａと対極４４ｂとを含む電極対４４が形成される。
【００３４】
流路４６は、スペーサ４２の一部を切り欠くことで基板４１、スペーサ４２、カバー４３によって形成され、その一端には採取口４５が設けられる。カバー４３には、流路４６の内部の気体を外部に排気するための排気口４７が設けられる。採取口４５と接触した血液は、毛管現象を利用して、排気口４７に向けて流路４６内を移動して電極対４４付近に
導入される。電極対４４の付近に導入された血液によって電極対４４は液絡する。液絡した電極対４４に対して直流電圧が印加されると、作用極４４ａと対極４４ｂとの間に電流が流れる。測定装置３０（後述）は、液絡した状態の電極対４４に対して直流電圧を印加し、その電極対４４からの応答電流に基づいて血液中の測定対象成分の測定を行う。
【００３５】
＜測定装置３０＞
図６は、測定装置の一例を示す斜視図である。測定装置３０は、バイオセンサ４０を用いて電気化学的手法により血液中の測定対象成分の測定を行う。測定装置３０は、筐体３１、表示パネル３２およびセンサ挿入口３３を備える。
【００３６】
図６に例示するように、測定装置３０の筐体３１には、測定結果等を表示する表示パネル３２が設けられる。センサ挿入口３３には、バイオセンサ４０が挿入される。測定装置３０は、バイオセンサ４０に電圧を印加し、信号値（例えば、電流値）を測定する。バイオセンサ４０の電極対に電圧が印加されると、バイオセンサ４０は、血液中の測定対象成分に応じた応答電流値を出力する。
【００３７】
＜血液採取補助具１０の使用態様＞
図７および図８は、血液採取補助具の使用態様の一例を示す図である。図７および図８は、血液採取補助具１０のうち、筒部１５とその付近の様子の一例を示している。以下、図７および図８を参照して、血液採取補助具１０の使用態様の一例について説明する。
【００３８】
図７は血液採取補助具１０によって穿刺具２０による穿刺を補助する使用態様の一例を示す図である。図７は、図１（Ｂ）において一点鎖線で示されるＡ−Ａ線における血液採取補助具１０の断面図であり、血液採取補助具１０のうち、筒部１５付近の構成を示す。穿刺具２０によって穿刺を行う際には、血液採取補助具１０に穿刺具２０の射出筒が挿入される。図７（Ａ）では、血液採取補助具１０は、穿刺具２０の射出筒２２が筒部１５に挿入された状態で、第１接触面１２が中指Ｆ１に接触するように載置されている。射出筒２２が筒部１５に挿入されると、図７（Ａ）に例示するように、穿刺具２０の下端面２１３と筒部１５の上端面とが接触し、穿刺具２０の筒部１５内へのそれ以上の進入は規制される。
【００３９】
図７（Ｂ）では、射出筒２２から穿刺針２５が射出された状態の一例を示す図である。射出された穿刺針２５によって、中指Ｆ１の穿刺箇所Ｐ１が穿刺され、穿刺された穿刺箇所Ｐ１からは血液が漏出する。穿刺箇所Ｐ１は、貫通孔１１３が第１の指を覆う領域の略中心の箇所であると言える。穿刺後、穿刺具２０の射出筒２２が筒部１５から取り外される。
【００４０】
図８は、血液採取補助具によってバイオセンサへの血液の導入を補助する使用態様の一例である。図８は、図１（Ｂ）において一点鎖線で示されるＡ−Ａ線における血液採取補助具１０の断面図であり、血液採取補助具１０のうち、筒部１５付近の構成を示す。図８（Ａ）は、バイオセンサ４０を筒部１５に挿入し始めた状態の一例を示す。バイオセンサ４０は、穿刺具２０の穿刺によって漏出した血液Ｂ１に対して採取口４５を向けた状態で、筒部１５に挿入される。バイオセンサ４０は、例えば、筒部１５の内壁１５２の縁１５２１に接触させた状態で筒部１５に挿入される。換言すれば、バイオセンサ４０は、縁１５２１に沿って筒部１５に挿入されるということもできる。このような状態で挿入されることにより、バイオセンサ４０は、縁１５２１によって支持された状態で、筒部１５に挿入されることになる。縁１５２１によって支持されるため、視力の低下した使用者であっても、バイオセンサ４０の採取口４５を血液Ｂ１に向けて移動させることが容易になる。
【００４１】
図８（Ｂ）は、バイオセンサ４０の採取口４５が血液と接触した状態の一例を示す。採
取口４５が血液Ｂ１と接触すると、上記の通り、毛管現象により、流路４６内に血液Ｂ１が導入される。バイオセンサ４０の流路内に血液Ｂ１が導入されると、測定装置３０によって血液Ｂ１内の測定対象成分の測定が行われる。
【００４２】
＜血液採取補助具１０を用いた血糖値の測定方法＞
図９は、血液採取補助具を用いた血糖値の測定方法の一例を示す図である。以下、図９を参照して、血液採取補助具１０を用いた血糖値の測定方法の一例について説明する。
【００４３】
ステップＳ１では、血液採取補助具１０を穿刺具２０に装着する。装着は、血液採取補助具１０の筒部１５に穿刺具２０の射出筒２２が挿入されることで行われる。
【００４４】
ステップＳ２では、穿刺具２０に装着された血液採取補助具１０が指に載置される。本実施形態では、第１接触面１２が中指の手のひら側の面に接触し、第２接触面１３が薬指の手のひら側の面に接触するように、血液採取補助具１０が載置される。ステップＳ２における血液採取補助具１０、穿刺具２０および中指Ｆ１の位置関係は、例えば、図７（Ａ）に例示したような状態となる。
【００４５】
ステップＳ３では、穿刺具２０の穿刺ボタン２３が押下されることで穿刺針２５が射出され、穿刺箇所Ｐ１が穿刺される。ステップＳ３における血液採取補助具１０、穿刺具２０、穿刺針２５および中指Ｆ１の位置関係は、例えば、図７（Ｂ）に例示したような状態となる。ステップＳ４では、穿刺具２０が血液採取補助具１０から抜去される。
【００４６】
ステップＳ５では、バイオセンサ４０が筒部１５に挿入される。上記の通り、バイオセンサ４０は、採取口４５を血液Ｂ１の方向に向けるとともに、筒部１５の内壁１５２の縁１５２１に接触させた状態で筒部１５に挿入される。バイオセンサ４０の採取口４５が血液Ｂ１と接触すると、血液Ｂ１はバイオセンサ４０の流路４６内に導入される。上記の通り、流路４６内に導入された血液Ｂ１は、電極対４４を液絡させる。ステップＳ５における血液採取補助具１０、バイオセンサ４０および中指Ｆ１の位置関係は、例えば、図８（Ａ）、（Ｂ）に例示したような状態となる。
【００４７】
ステップＳ６では、バイオセンサ４０の電極対４４が血液Ｂ１によって液絡されると、測定装置３０は、電極対４４に直流電圧を印加し、その応答電流を基に測定対象成分の測定を行う。
【００４８】
＜変形例＞
上記で説明した血液採取補助具１０は、種々の変形が可能である。図１０から図１３は、変形例に係る血液採取補助具の一例を示す図である。以下、図１０から図１３を参照して、血液採取補助具１０の変形例について説明する。
【００４９】
＜第１変形例＞
実施形態に係る血液採取補助具１０は、第１外壁部１１１１および第２外壁部１１２１を備えたが、血液採取補助具は第１外壁部１１１１および第２外壁部１１２１を備える構成に限定されない。図１０は、第１変形例に係る血液採取補助具の一例を示す正面図である。図１０に例示される血液採取補助具１０ａは、正面視したときの形状が略Ｔ字形状に形成されており、第１外壁部１１１１および第２外壁部１１２１のいずれも有していない。また、略Ｔ字形状に形成される血液採取補助具１０ａのうち、Ｘ方向に長手方向を有する第１基部１１１ａと第２基部１１２ａとがＸ方向に沿った直線状に並べられ、その対向する端部がＺ方向に長手方向を有する連結部１４ａによって連結される。このような血液採取補助具１０ａによっても、第１基部１１１ａが中指によって支持され、第２基部１１２ａが薬指によって支持されるとともに、連結部１４ａが中指と薬指との間に介在するこ
とで、血液採取補助具１０ａは、指の周方向への回転が抑制される。そのため、血液採取補助具１０ａが位置ずれしにくくなる。そのため、第１変形例に係る血液採取補助具１０ａによっても、穿刺針による穿刺によって漏出した血液Ｂ１に対してバイオセンサ４０を好適に案内できる。
【００５０】
実施形態においては、第１基部１１１および第２基部１１２の弧の曲率半径は、使用者の指の太さを考慮して決めるが、第１基部１１１および第２基部１１２は弧であることに限定されない。第１変形例に係る血液採取補助具１０ａでは、第１基部１１１および第２基部１１２の各々が平坦に形成されている。すなわち、第１接触面１２ａおよび第２接触面１３ａの各々が平坦に形成される。平坦に形成された第１接触面１２ａおよび第２接触面１３ａであっても、第１基部１１１ａが中指によって支持され、第２基部１１２ａが薬指によって支持されるという効果を奏することができる。さらに、第１接触面１２ａおよび第２接触面１３ａを平坦に形成することにより、実施形態に係る血液採取補助具１０よりも血液採取補助具を簡易な形状とすることが可能となり、製造が容易になる。
【００５１】
＜第２変形例＞
血液採取補助具において、第１基部および第２基部は正面視した形状が円弧（アーチ）形状に限定されるわけではない。図１１は、第２変形例に係る血液採取補助具の一例を示す正面図である。血液採取補助具１０ｂは、それぞれ正面視において略環形状に形成された第１基部１１１ｂと第２基部１１２ｂとを並べて連結させた形状を有する。血液採取補助具１０ｂを使用する場合には、第１基部１１１ｂによって形成される環の中に中指を挿入し、第２基部１１２ｂによって形成される環の中に薬指を挿入する。すなわち、第１基部１１１ｂは中指の周囲を囲み、第２基部１１２ｂは薬指の周囲を囲むようになる。このような血液採取補助具１０ｂによっても、血液採取補助具１０ｂの指の周方向への回転が抑制されるため、穿刺針による穿刺によって漏出した血液Ｂ１に対してバイオセンサ４０を好適に案内できる。
【００５２】
＜第３変形例＞
図１２は、第３変形例に係る血液採取補助具の一例を示す上面図の一例である。手の指の長さは各々異なるため、血液採取補助具１０ｃでは、第１基部１１１ｃと第２基部１１２ｃの位置を指の長さに応じて変更する。血液採取補助具１０ｃは、図１２に例示されるように、薬指よりも長い中指に接触する第１基部１１１ｃは、薬指と接触する第２基部１１２ｃよりも指先側（前方向）に移動させている。このような構成を有することで、血液採取補助具１０ｃは、長さの異なる２本の指によって好適に支持される。
【００５３】
＜第４変形例＞
実施形態においては、筒部１５の内壁１５２および貫通孔１１３の内壁の内径は、上端から下端まで一定であった。しかしながら、筒部１５の内壁１５２および貫通孔１１３の内壁の内径は、上端から下端に向かって徐々に縮小するようにテーパー加工が施されてもよい。図１３は、第４変形例に係る血液採取補助具の一例を示す断面図である。図１３は、図１（Ｂ）において一点鎖線で示されるＡ−Ａ線における血液採取補助具の断面図であり、血液採取補助具１０ｄのうち、筒部１５ｄ付近の構成を示す。血液採取補助具１０ｄの筒部１５ｄの内壁１５２ｄおよび貫通孔１１３ｄの孔内壁１１３１は、筒部１５ｄの上端から貫通孔１１３ｄの下端に向けて徐々に内径が縮小するようにテーパー加工が施される。
【００５４】
テーパー加工が施された内壁１５２ｄおよび孔内壁１１３１に沿ってバイオセンサ４０を移動させることで、バイオセンサ４０を血液Ｂ１に接触させることが容易になる。また、筒部１５ｄおよび貫通孔１１３ｄの内径が徐々に縮小することで、筒部１５ｄに挿入された穿刺具２０は、適度な深さだけ筒部１５ｄに挿入されると筒部１５ｄ内の内壁１５２
ｄに接してそれ以上筒部１５ｄの奥に進入することが規制される。そのため、穿刺具２０の外径が筒部１５ｄの上端部における内径よりも細く、下端面２１３と筒部１５ｄの上端面との接触によって穿刺具２０の筒部１５ｄへの進入を規制できない場合でも、穿刺具２０と穿刺対象となる指との距離を適度に保つことができる。すなわち、このようなテーパー加工によって、穿刺具２０の穿刺針２５が穿刺対象となる指を適度な深さだけ穿刺できる位置に穿刺具２０を位置決めできるようになる。
【００５５】
＜第５変形例＞
第４変形例では、筒部１５ｄの内壁１５２ｄにテーパー加工を施すことで、穿刺具２０と穿刺対象となる指との距離が適度に保たれた。しかしながら、穿刺具２０と穿刺対象となる指との距離を適度に保つ方法は、内壁１５２ｄにテーパー加工を施すことに限定されない。図１４は、第５変形例に係る血液採取補助具の一例を示す断面図である。図１４は、図１（Ｂ）において一点鎖線で示されるＡ−Ａ線における血液採取補助具の断面図であり、血液採取補助具１０ｅのうち、筒部１５ｅ付近の構成を示す。
【００５６】
血液採取補助具１０ｅの筒部１５ｅの内壁１５２には、筒部１５ｅの半径方向に突出する突起１５３が設けられる。突起１５３は、筒部１５ｅの中心軸に向かって突出するということもできる。突起１５３のＺ方向における位置は、穿刺具２０と穿刺対象となる指との距離が適度に保たれるように決定される。
【００５７】
筒部１５ｅに挿入された穿刺具２０は、適度な深さだけ筒部１５ｅに挿入されると筒部１５ｅ内の突起１５３に接してそれ以上は筒部１５ｅの奥に進入することが規制される。このような構成によっても、第４変形例と同様に、穿刺具２０と穿刺対象となる指との距離を適度に保つことができる。なお、図１４では、突起１５３はひとつ設けられているが、突起１５３は複数設けられてもよい。
【００５８】
＜その他の変形＞
実施形態においては、基部１１の貫通孔１１３の周囲を囲むように筒部１５が設けられたが、筒部１５は省略されてもよい。このような場合、貫通孔１１３の内径が穿刺具２０の射出筒２２の外径よりも若干小さく形成されればよい。また、バイオセンサ４０に血液Ｂ１を接触させる場合、貫通孔１１３の縁にバイオセンサ４０を接触させた状態でバイオセンサ４０を血液Ｂ１に向けて移動させればよい。
【００５９】
実施形態においては、血液採取補助具１０の基部１１は、第１の指によって支持される第１基部１１１および第２の指によって支持される第２基部１１２を有するが、基部１１は、第３の指によって支持される第３基部をさらに備えてもよい。換言すれば、血液採取補助具１０は、２本以上の指によって支持される形状であればよい。
【００６０】
実施形態においては、第１接触面１２および第２接触面１３のいずれもが指の腹に接触したが、第１接触面が指の腹に接触し、第２接触面が指の手の甲側の面に接触するように、第１接触面および第２接触面が設けられてもよい。
【００６１】
実施形態では、採取具の一例としてバイオセンサを挙げたが、開示の技術を適用可能な採取具がバイオセンサに限定されるわけではない。開示の技術が適用される採取具は、例えば、スポイトやピペット等であってもよい。
【００６２】
以上で開示した実施形態や変形例はそれぞれ組み合わせる事ができる。
【符号の説明】
【００６３】
１０・・・血液採取補助具
１１・・・基部
１１１・・・第１基部
１１１１・・・第１外壁部
１１２・・・第２基部
１１２１・・・第２外壁部
１１３・・・貫通孔
１２・・・第１接触面
１２１、１３１・・・内側面
１２２・・・第１指間接触面
１３・・・第２接触面
１３２・・・第２指間接触面
１４・・・連結部
１５・・・筒部
１５１・・・外壁
１５２・・・内壁
１５２１・・・縁
１５３・・・突起
１５４・・・ネジ穴
２０・・・穿刺具
２１・・・本体部
２１１・・・天井部
２１２・・・上端面
２１３・・・下端面
２２・・・射出筒
２２１・・・開口
２３・・・穿刺ボタン
２３１・・・規制部材
２４・・・コイルバネ
２５・・・穿刺針
２５１・・・先端
２５２・・・土台
３０・・・測定装置
３１・・・筐体
３２・・・表示パネル
３３・・・センサ挿入口
４０・・・バイオセンサ
４１・・・基板
４２・・・スペーサ
４３・・・カバー
４４・・・電極対
４４ａ、４４ｂ・・・電極
４５・・・採取口
４６・・・流路
【図１】
2019208748.tif 000003
【図２】
2019208748.tif 000004
【図３】
2019208748.tif 000005
【図４】
2019208748.tif 000006
【図５】
2019208748.tif 000007
【図６】
2019208748.tif 000008
【図７】
2019208748.tif 000009
【図８】
2019208748.tif 000010
【図９】
2019208748.tif 000011
【図１０】
2019208748.tif 000012
【図１１】
2019208748.tif 000013
【図１２】
2019208748.tif 000014
【図１３】
2019208748.tif 000015
【図１４】
2019208748.tif 000016